(57)【要約】      （修正有）【課題】騒音の低減が可能で、構造が簡単で、かつマッサージの快適性を向上できる新型マッサージ器を提供する。【解決手段】外殻ケースと、当該外殻ケースから伸び出した２つのマッサージヘッドと、前記外殻ケース内に設けられた前記２つのマッサージヘッドを駆動させるモーター３００とを備えてマッサージ器を構成する。さらに、前記モーターと前記２つのマッサージヘッドの間に配置された変速歯車組４００を更に備え、前記モーターの出力軸は１本のウォーム３１０であり、前記変速歯車組は、前記ウォーム駆動の主動歯車組４１０と、当該主動歯車組が駆動させた従動歯車組４２０と、当該従動歯車組が駆動させた２つの歯車４３０を備え、前記２つのマッサージヘッドは、それぞれ前記２つの歯車の歯車軸４３１に固定される。【選択図】図２
0003182483.tif 000002
【実用新案登録請求の範囲】
【請求項１】
外殻ケースと、当該外殻ケースから伸び出した２つのマッサージヘッドと、前記外殻ケース内に設けられた前記２つのマッサージヘッドを駆動させるモーターとを備える新型マッサージ器において、前記モーターと前記２つのマッサージヘッドの間に配置された変速歯車組を更に備えており、前記モーターの出力軸は１本のウォームであり、前記変速歯車組は、前記ウォームで駆動する主動歯車組と、当該主動歯車組が駆動させた従動歯車組と、当該従動歯車組が駆動させた２つの歯車を備え、前記２つのマッサージヘッドは、それぞれ前記２つの歯車の歯車軸に固定されることを特徴とする新型マッサージ器。
【請求項２】
前記主動歯車組は同軸一体となった上主動歯車及び下主動歯車を備え、前記従動歯車組は同軸一体となった上従動歯車及び下従動歯車を備え、前記下主動歯車が前記ウォームに噛み合い、前記上主動歯車が前記下従動歯車に噛み合い、前記２つの歯車が前記上従動歯車の両側に位置し、また、それぞれ前記上従動歯車に噛み合うことを特徴とする請求項１に記載の新型マッサージ器。
【請求項３】
前記主動歯車組の上主動歯車及び下主動歯車は、両者とも、はすば歯車であり、前記従動歯車組の上従動歯車及び下従動歯車は両者ともはすば歯車であることを特徴とする請求項２に記載の新型マッサージ器。
【請求項４】
前記主動歯車組の上主動歯車も、下主動歯車も、それぞれ前記従動歯車組の上従動歯車及び下従動歯車より歯数が少ないことを特徴とする請求項３に記載の新型マッサージ器。
【請求項５】
前記マッサージヘッドは、各前記歯車軸に包み込まれて設けられた本体と、当該本体に配置されたクランクシャフトとを備えることを特徴とする請求項１に記載の新型マッサージ器。
【考案の詳細な説明】
【技術分野】
【０００１】
本考案は、マッサージ設備に関し、具体的には、新型マッサージ器に関するものである。
【背景技術】
【０００２】
現在、一般に市販されている電動マッサージ器には様々なものがあり、人々に日常保健上の便利さで大変な喜びをもたらしているものの、それらのマッサージ器には、通常の場合、人体に当たるマッサージ部品に機械的振動を直接伝達したため、振動や騒音が大きく、快適性が低い欠点が見られている。
【考案の開示】
【考案が解決しようとする課題】
【０００３】
本考案は、従来の技術的欠陥を克服でき、騒音の低減が可能で、構造が簡単で、かつマッサージの快適性を向上することができる新型マッサージ器を提供することを目的とする。
【課題を解決するための手段】
【０００４】
以上の目的を達成するために、本考案は新型マッサージ器を提供する。当該新型マッサージ器は、外殻ケースと、当該外殻ケースから伸び出した２つのマッサージヘッドと、前記外殻ケース内に設けられた前記２つのマッサージヘッドを駆動させるモーターとを備えており、また、前記モーターと前記２つのマッサージヘッドの間に配置された変速歯車組を備え、前記モーターの出力軸は１本のウォームであり、前記変速歯車組は、前記ウォーム駆動の主動歯車組と、当該主動歯車組が駆動させた従動歯車組と、当該従動歯車組が駆動させた２つの歯車を備え、前記２つのマッサージヘッドは、それぞれ前記２つの歯車の歯車軸に固定される。
【０００５】
具体的には、前記主動歯車組は同軸一体となった上主動歯車及び下主動歯車を備え、前記従動歯車組は同軸一体となった上従動歯車及び下従動歯車を備え、前記下主動歯車が前記ウォームに噛み合い、前記上主動歯車が前記下従動歯車に噛み合い、前記２つの歯車が前記上従動歯車の両側に位置し、また、それぞれ前記上従動歯車に噛み合う。
【０００６】
好ましくは、前記主動歯車組の上主動歯車及び下主動歯車は、両者とも、はすば歯車であり、前記従動歯車組の上従動歯車及び下従動歯車は、両者とも、はすば歯車である。
【０００７】
さらに、前記主動歯車組の上主動歯車も、下主動歯車も、それぞれ前記従動歯車組の上従動歯車及び下従動歯車より歯数が少ない。
【０００８】
具体的には、前記マッサージヘッドは、各前記歯車軸に包み込まれて設けられた本体と、当該本体に配置されたクランクシャフトとを備える。
【０００９】
本考案には、前記モーターと前記マッサージヘッドの間に変速歯車組を増設され、当該変速歯車組を通して歯車の回転速度に対して合理的に調整させることによって、当該マッサージヘッドをより快適に行うことを実現させ、かつ、マッサージ時の騒音を有効に低減できるようになる。
【図面の簡単な説明】
【００１０】
【図１】本考案における新型マッサージ器の構造概略図である。
【図２】図１の上外殻ケースを外した状態の構造概略図である。
【図３】本考案マッサージ器の一実施形態を示す装置の断面図である。
【考案を実施するための形態】
【００１１】
本考案の目的や技術方案、長所などを明らかにするために、添付図面及び実施例を参照して本考案について以下で詳しく説明する。本文で述べられた詳細実施例は本考案を説明するだけであり、本考案の保護範囲をこのように制限するものではない。
【００１２】
図１、図２を参照する。本考案は、外殻ケース（１００）と、当該外殻ケース（１００）から伸び出した２つのマッサージヘッド（２００）と、前記外殻ケース（１００）内に設けられた前記２つのマッサージヘッド（２００）を駆動させるモーター（３００）とを備えており、また、モーター（３００）と２つのマッサージヘッド（２００）の間に配置された変速歯車組（４００）を備え、モーター（３００）の出力軸は１本のウォーム（３１０）であり、変速歯車組（４００）は、ウォーム（３１０）駆動の主動歯車組（４１０）と、主動歯車組（４１０）が駆動させた従動歯車組（４２０）と、従動歯車組（４２０）が駆動させた２つの歯車（４３０）を備え、２つのマッサージヘッド（２００）は、それぞれ２つの歯車（４３０）の歯車軸（４３１）に固定される。本考案に係る実用新案マッサージ器は、モーター（３００）と２つのマッサージヘッド（２００）の間に変速歯車組（４００）を増設され、変速歯車組（４００）を通して歯車の回転速度に対して合理的に調整させることによって、マッサージヘッド（２００）をより快適に行うことを実現させ、かつ、マッサージ時の騒音を有効に低減できるようになる。
【００１３】
図３を参照する。主動歯車組（４１０）は上下に配置された上主動歯車（４１１）及び下主動歯車（４１２）を備える。上主動歯車（４１１）と下主動歯車（４１２）とは、一主軸（４１３）で同軸連結され、主軸（４１３）はベアリング（５００）によって、上主動歯車（４１１）及び下主動歯車（４１２）に連結される。従動歯車組（４２０）は上下に配置された上従動歯車（４２１）及び下従動歯車（４２２）を備える。上従動歯車（４２１）と下従動歯車（４２２）とは、一従軸（４２３）で同軸連結され、従軸（４２３）は、ベアリング（５００）によって、上従動歯車（４２１）及び下従動歯車（４２２）に連結される。その中に、下主動歯車（４１２）がウォーム（３１０）に噛み合い、上主動歯車（４１１）が前記下従動歯車（４２２）に噛み合う。また、２つの歯車（４３０）が上従動歯車（４２１）の両側に位置し、かつ、それぞれ上従動歯車（４２１）に噛み合う。本実施例では、作動中に、モーター（３００）から出力した力は、ウォーム（３１０）を通して下主動歯車（４１２）に伝達し、下主動歯車（４１２）によって、上主動歯車（４１１）を同期回転させ、また、上主動歯車（４１１）によって、それに噛み合う下従動歯車（４２２）を働かせる。同じく、下従動歯車（４２２）によって、上従動歯車（４２１）を同期回転させ、上従動歯車（４２１）が回転すると同時に、２つの歯車（４３０）を働かせ、それによって、２つのマッサージヘッド（２００）は、回転してマッサージ作業を行う。
【００１４】
本実施例では、主動歯車組（４１０）の上主動歯車（４１１）及び下主動歯車（４１２）は、両者とも、はすば歯車であり、従動歯車組（４２０）の上従動歯車（４２１）及び下従動歯車（４２２）は、両者とも、はすば歯車である。本実施例では、はすば歯車を使用し、伝動における性能的には、平歯車より優れており、かつ、小型で軽く、伝達トルクが大きく、穏やかな起動で、伝動比の分類に精密などの長所があり、また、実際に取り付けた時に、要望に応じて連結し、かつ、位置的にも多様な選択が有する。
【００１５】
図２を参照すれば分かるように、主動歯車組（４１０）の上主動歯車（４１１）も、下主動歯車（４１２）も、それぞれ従動歯車組（４２０）の上従動歯車（４２１）及び下従動歯車（４２２）より歯数が少ない。伝動比原理によると、このように、主動歯車組（４１０）と従動歯車組（４２０）とを組み合わせることによって、減速を行うこととし、マッサージヘッド（２００）をより合理的な回転速度を有するようにさせ、マッサージをより快適に行うことを実現させるほか、マッサージ時の騒音を有効に低減可能となった。
【００１６】
本実施例では、マッサージヘッド（２００）は、各歯車軸（４３１）に包み込まれて設けられた本体（２１０）と、本体（２１０）に配置されたクランクシャフト（２２０）とを備える。歯車軸（４３１）が回転した時に、クランクシャフト（２２０）は、本体（２１０）を中心にして、円周回転をし、マッサージ効果をよりよくする。
【００１７】
さらに、本実施例では、外殻ケース（１００）は、互いに噛み合う上外殻ケース（１１０）と下外殻ケース（１２０）を備える。モーター（３００）は、水平に下外殻ケース（１２０）内に配置され、また、変速歯車組（４００）は、縦にして、モーター（３００）の一側面に配置された。このような構造デザインでは、占める内部空間が小さく、マッサージ器全体の構造がより薄くなる。
【００１８】
以上は、本考案の好ましい実施例であり、本考案の保護範囲をこのように制限するものではない。本考案の理念や原則に基づいて行った修正や同レベルの取替え改善などは、いずれも同様な理由で本考案の保護範囲内にある。
【図１】
0003182483.tif 000003
【図２】
0003182483.tif 000004
【図３】
0003182483.tif 000005